(57)【要約】【課題】被収納物の収納や取り出しを容易に行うことができ、特に、ケーキやドーナツ等の形が崩れやすい被収納物を収納や取り出しに際して被収納物を傷つけるおそれがなく、また、ケーキやドーナツを収納する包装箱としての外観が従来の包装箱と著しい差異がない包装箱を提供する。【解決手段】包装箱Ａは、内箱部Ａ１と外箱部Ａ２とを有し、内箱部Ａ１の側面部２０、４０の一部が分離部２４、４４として他の部分と切目線を介して分離可能に形成されており、分離部２４、４４は外箱部Ａ２における対応する側面部９０等に接着されている。外箱部Ａ２における側面部９０のミシン目９２を破って側面部９０の下端を斜め上方に回動させることにより、分離部４４が内箱部Ａ１から分離する。側面部９０と相対する側面部においても、同様に操作することにより分離部２４が内箱部Ａ１から分離する。【選択図】図２
0003138514.tif 000002
【実用新案登録請求の範囲】
【請求項１】
包装箱であって、
底面部と、底面部に対して略直角をなす複数の内側側面部とを有し、上部が開口した内箱部で、少なくとも２つの内側側面部において、内側側面部の一部が分離部として他の部分と切目線を介して分離可能に形成された内箱部と、
内箱部を覆う外箱部で、内箱部の各内側側面部に対応して各内側側面部の外側の面に沿って設けられ、高さ方向の長さが内側側面部よりも長く形成された外側側面部と、複数の外側側面部における少なくとも１つから連設された蓋部とを有し、内箱部における分離部が設けられた内側側面部に対応した外側側面部は、その内側の面が分離部と接着されているとともに、下端から上方に向けて形成された切目線を有する外箱部と、
を有し、外箱部における分離部と接着した外側側面部の切目線を破って外側側面部の下端を斜め上方に回動させることにより、分離部が内箱部から分離することを特徴とする包装箱。
【請求項２】
包装箱であって、
略四角形状の底面部と、底面部に対して略直角をなす複数の内側側面部とを有し、上部が開口した内箱部で、相対する２つの内側側面部において、内側側面部の一部が分離部として他の部分と切目線を介して分離可能に形成され、１枚のブランクにより形成された内箱部と、
内箱部を覆う外箱部で、内箱部の各内側側面部に対応して各内側側面部の外側の面に沿って設けられ、高さ方向の長さが内側側面部よりも長く形成された外側側面部と、４つの外側側面部における少なくとも１つから連設された蓋部とを有し、内箱部における分離部が設けられた内側側面部に対応した外側側面部は、その内側の面が分離部と接着されているとともに、下端から上方に向けて形成された切目線を有し、１枚のブランクにより形成された外箱部と、
を有し、外箱部における分離部と接着した外側側面部の切目線を破って外側側面部の下端を斜め上方に回動させることにより、分離部が内箱部から分離することを特徴とする包装箱。
【請求項３】
上記蓋部は、４つの外側側面部における相対する外側側面部の上端から連設して設けられ、該蓋部の端部からは開口部を有する把手部が形成され、さらに、４つの外側側面部における他の相対する外側側面部からは、把手部に係止するための係止部が形成されていることを特徴とする請求項２に記載の包装箱。
【請求項４】
上記内箱部の底面部は、内側側面部の１つの下端から連設され、内箱部の内底面を形成する略四角形状の底面本体部と、底面本体部が連設された内側側面部と相対する内側側面部の下端から連設された副体部と、底面本体部が連設された内側側面部と隣接する２つの内側側面部の下端からそれぞれ連設された接続片部で、その一方が底面本体部に接着され、他方が副体部に接着されていて、４つの内側側面部が略平板状になるように折り畳むことにより、底面本体部と副体部とが４つの内側側面部内に４つの内側側面部と略平行な状態となり、内箱部が全体に略平板状に折り畳むことができることを特徴とする請求項２又は３に記載の包装箱。
【請求項５】
上記分離部が形成された内側側面部において、上記分離部は、略凹状を呈する本体部の凹部内に形成され、かつ、本体部の上端から突出して形成されていることを特徴とする請求項１又は２又は３又は４に記載の包装箱。
【請求項６】
外箱部の側面部の下端位置は、内箱部の底面部の底面位置と略同一であり、内箱部における底面部のみが露出していることを特徴とする請求項１又は２又は３又は４又は５に記載の包装箱。
【考案の詳細な説明】
【技術分野】
【０００１】
本考案は、包装箱に関するものであり、特に、ケーキやドーナツ等の食品を包装するのに用いる包装箱に関するものである。
【背景技術】
【０００２】
従来より、ケーキやドーナツを包装して持ち運ぶ箱としては、図１２に示す形状のものが一般的である。すなわち、従来の包装箱Ｂは、側面部２１０、２２０、２３０、２４０と、底面部２５０と、蓋部２６０、２８０と、把手部２７０、２９０と、係止部３００、３１０とを有し、ケーキ等の被収納物を収納する場合には、蓋部２６０、２８０と係止部３００、３１０を開状態にして、被収納物を収納し、被収納物を収納したら蓋部２６０、２８０を閉状態とした後に係止部３００、３１０を把手部２７０、２９０に係止させて、蓋部２６０、２８０の閉状態を固定させる。このようにして、把手部２７０、２９０を把持して持ち運ぶ。
【０００３】
包装箱Ｂに収納された被収納物を取り出すには、係止部３００、３１０の把手部２７０、２９０への係止を解除した後に、係止部３００、３１０と蓋部２６０、２８０を開状態として、被収納物を上方に引き出して取り出す。
【０００４】
なお、出願人は、先行技術文献として以下の文献を知得している。
【特許文献１】特開２００３−１２８０５２号公報
【考案の開示】
【考案が解決しようとする課題】
【０００５】
しかし、図１２に示す従来の一般的な包装箱においては、被収納物を包装箱から取り出す場合に、被収納物を上方から引き出すようにして取り出さなければならず、ケーキやドーナツのように形が崩れやすい被収納物の場合には、被収納物の形が崩れてしまう等被収納物の取り出しが困難であるという問題があった。
【０００６】
特許文献１の包装箱においては、以下の点からケーキやドーナツ等の食品を収納するには適していない。すなわち、蓋部３’と本体部２’を固定するのに接着テープを用いることからケーキやドーナツ等の食品を店舗で包装する場合には、作業の迅速性の点から適していない。また、特許文献１の包装箱においては、本体部２’の側面部６、７や後面部１１が高く形成されているので、商品を前面部５から取り出す場合はよいが、ケーキを上方から引き出して取り出すには適していない。また、蓋部３’が本体部２’に対して閉じた状態では、蓋部３’における側面部１７、１８は、本体部２’の側面部６、７の内側にあることから側面部１７、１８が被収納物に接するおそれがあり、ケーキやドーナツのように形が崩れやすい被収納物の場合には、蓋部３’を閉じる際に側面部１７、１８が被収納物に接して被収納物を傷つけてしまうおそれがある。また、特許文献１に示す包装箱をケースやドーナツ等の食品の包装に用いた場合には、図１２に示すような従来からの箱とは著しく形が異なることからケーキやドーナツを収納する箱としては違和感があり、適していない。
【０００７】
そこで、本考案は、被収納物の収納や取り出しを容易に行うことができ、特に、ケーキやドーナツ等の形が崩れやすい被収納物を収納や取り出しに際して被収納物を傷つけるおそれがなく、また、ケーキやドーナツを収納する包装箱としての外観が従来の包装箱と著しい差異がない包装箱を提供することを目的とするものである。
【課題を解決するための手段】
【０００８】
本考案は上記問題点を解決するために創作されたものであって、第１には、包装箱であって、底面部と、底面部に対して略直角をなす複数の内側側面部とを有し、上部が開口した内箱部で、少なくとも２つの内側側面部において、内側側面部の一部が分離部として他の部分と切目線を介して分離可能に形成された内箱部と、内箱部を覆う外箱部で、内箱部の各内側側面部に対応して各内側側面部の外側の面に沿って設けられ、高さ方向の長さが内側側面部よりも長く形成された外側側面部と、複数の外側側面部における少なくとも１つから連設された蓋部とを有し、内箱部における分離部が設けられた内側側面部に対応した外側側面部は、その内側の面が分離部と接着されているとともに、下端から上方に向けて形成された切目線を有する外箱部と、を有し、外箱部における分離部と接着した外側側面部の切目線を破って外側側面部の下端を斜め上方に回動させることにより、分離部が内箱部から分離することを特徴とする。
【０００９】
この第１の構成の包装箱においては、被収納物を収納する際には、外箱部の蓋部を開状態にして被収納物を収納し、蓋部を閉状態とする。その後、被収納物を包装箱から取り出す場合には、外箱部における分離部と接着した外側側面部の切目線を破って外側側面部の下端を斜め上方に回動させる。これにより、外側側面部に接着した分離部が内箱部から分離する。そして、外箱部を上方に引き上げることにより、被収納物を収納した状態の内箱部が残るので、内箱部から被収納物を取り出す。よって、内箱部の上方が開口しているので、被収納物を内箱部から取り出す際にそれらに接するおそれがなく、また、内側側面部の高さ方向の長さが外側側面部よりも短く形成されているので、被収納物を取り出す際に被収納物が内箱部の上端に接するおそれが小さく、よって、被収納物を内箱部から容易に取り出すことができ、特に、ケーキやドーナツ等の形が崩れやすい被収納物を収納や取り出しに際して被収納物を傷つけるおそれがない。また、内箱部が外箱部に覆われているので、外箱部をケーキやドーナツを収納する通常の包装箱の形状とすることにより、包装箱の外観が従来の包装箱と著しい差異がなく違和感を感じさせないようにすることができる。
【００１０】
また、第２には、包装箱であって、略四角形状の底面部と、底面部に対して略直角をなす複数の内側側面部とを有し、上部が開口した内箱部で、相対する２つの内側側面部において、内側側面部の一部が分離部として他の部分と切目線を介して分離可能に形成され、１枚のブランクにより形成された内箱部と、内箱部を覆う外箱部で、内箱部の各内側側面部に対応して各内側側面部の外側の面に沿って設けられ、高さ方向の長さが内側側面部よりも長く形成された外側側面部と、４つの外側側面部における少なくとも１つから連設された蓋部とを有し、内箱部における分離部が設けられた内側側面部に対応した外側側面部は、その内側の面が分離部と接着されているとともに、下端から上方に向けて形成された切目線を有し、１枚のブランクにより形成された外箱部と、を有し、外箱部における分離部と接着した外側側面部の切目線を破って外側側面部の下端を斜め上方に回動させることにより、分離部が内箱部から分離することを特徴とする。
【００１１】
この第２の構成の包装箱においては、被収納物を収納する際には、外箱部の蓋部を開状態にして被収納物を収納し、蓋部を閉状態とする。その後、被収納物を包装箱から取り出す場合には、外箱部における分離部と接着した外側側面部の切目線を破って外側側面部の下端を斜め上方に回動させる。これにより、外側側面部に接着した分離部が内箱部から分離する。そして、外箱部を上方に引き上げることにより、被収納物を収納した状態の内箱部が残るので、内箱部から被収納物を取り出す。よって、内箱部の上方が開口しているので、被収納物を内箱部から取り出す際にそれらに接するおそれがなく、また、内側側面部の高さ方向の長さが外側側面部よりも短く形成されているので、被収納物を取り出す際に被収納物が内箱部の上端に接するおそれが小さく、よって、被収納物を内箱部から容易に取り出すことができ、特に、ケーキやドーナツ等の形が崩れやすい被収納物の収納や取り出しに際して被収納物を傷つけるおそれがない。また、内箱部の相対する両側に分離部が設けられ、外箱部を内箱部から分離する際には、両側の分離部を分離させて、外箱部を上方に引き上げるので、外箱部を内箱部から分離させる際にも外箱部が被収納物に接するおそれがなく、被収納物を傷つけるおそれがない。また、外箱部の側面部は、内箱部の側面部よりも外側にあるので、外箱部を内箱部から分離させる際に外箱部が被収納物に接触するおそれがない。これらの点からしても、ケーキやドーナツ等の形が崩れやすい被収納物の収納や取り出しに際して被収納物を傷つけるおそれがない。また、内箱部が外箱部に覆われていて、また、外箱部が４つの側面部と蓋部とを有していてケーキやドーナツを収納する通常の包装箱と同様の外観を呈しているので、包装箱の外観が従来の包装箱と著しい差異がなく違和感を感じさせないようにすることができる。
【００１２】
なお、上記第１又は第２の構成において、上記切目線は、ミシン目又はミシン目及び切込み線であるものとするのが好ましい。
【００１３】
また、第３には、上記第２の構成において、上記蓋部は、４つの外側側面部における相対する外側側面部の上端から連設して設けられ、該蓋部の端部からは開口部を有する把手部が形成され、さらに、４つの外側側面部における他の相対する外側側面部からは、把手部に係止するための係止部が形成されていることを特徴とする。
【００１４】
よって、把手部に係止部を係止することにより、蓋部の閉状態が固定され、把手部を手に持って持ち運ぶことが可能となる。
【００１５】
また、第４には、上記第２又は第３の構成において、上記内箱部の底面部は、内側側面部の１つの下端から連設され、内箱部の内底面を形成する略四角形状の底面本体部と、底面本体部が連設された内側側面部と相対する内側側面部の下端から連設された副体部と、底面本体部が連設された内側側面部と隣接する２つの内側側面部の下端からそれぞれ連設された接続片部で、その一方が底面本体部に接着され、他方が副体部に接着されていて、４つの内側側面部が略平板状になるように折り畳むことにより、底面本体部と副体部とが４つの内側側面部内に４つの内側側面部と略平行な状態となり、内箱部が全体に略平板状に折り畳むことができることを特徴とする。よって、内箱部が全体に略平板状に折り畳むことができ、また、外箱部は、係止部を把手部に係止しない状態では全体に略スリーブ状を呈するので、包装箱全体として略平板状に折り畳むことが可能となり、包装箱を保管する場合等に省スペースとすることができる。
【００１６】
また、第５には、上記第１から第４までのいずれかの構成において、上記分離部が形成された内側側面部において、上記分離部は、略凹状を呈する本体部の凹部内に形成され、かつ、本体部の上端から突出して形成されていることを特徴とする。
【００１７】
また、第６には、上記第１から第５までのいずれかの構成において、外箱部の側面部の下端位置は、内箱部の底面部の底面位置と略同一であり、内箱部における底面部のみが露出していることを特徴とする。よって、包装箱をテーブル等に載置した状態では、ケーキやドーナツを収納する通常の包装箱と同様の外観を呈することができ、ケーキやドーナツ用の箱として違和感を感じさせないようにすることができる。
【考案の効果】
【００１８】
本考案に基づく包装箱によれば、内箱部の上方が開口しているので、被収納物を内箱部から取り出す際にそれらに接するおそれがなく、また、内側側面部の高さ方向の長さが外側側面部よりも短く形成されているので、被収納物を取り出す際に被収納物が内箱部の上端に接するおそれが小さく、よって、被収納物を内箱部から容易に取り出すことができ、特に、ケーキやドーナツ等の形が崩れやすい被収納物を収納や取り出しに際して被収納物を傷つけるおそれがない。また、内箱部が外箱部に覆われていて、また、外箱部が４つの側面部と蓋部とを有していてケーキやドーナツを収納する通常の包装箱と同様の外観を呈しているので、包装箱の外観が従来の包装箱と著しい差異がなく違和感を感じさせないようにすることができる。
【考案を実施するための最良の形態】
【００１９】
本考案においては、被収納物の収納や取り出しを容易に行うことができ、特に、ケーキやドーナツ等の形が崩れやすい被収納物を収納や取り出しに際して被収納物を傷つけるおそれがなく、また、ケーキやドーナツを収納する包装箱としての外観が従来の包装箱と著しい差異がない包装箱を提供するという目的を以下のようにして実現した。
【００２０】
本考案に基づく包装箱Ａは、図１〜図６等に示すように構成され、図２、図５、図６、図９、図１１等に示すように、内箱部Ａ１と、外箱部Ａ２とを有していて、それぞれが１枚のシート状のブランク（具体的には、段ボール、厚紙等）により形成されている。
【００２１】
内箱部Ａ１は、図２、図３、図４、図６等に示すように、側面部（内側側面部）１０と、側面部（内側側面部）２０と、側面部（内側側面部）３０と、側面部（内側側面部）４０と、底面部５０とを有し、その展開状態は、図６に示すように形成されている。
【００２２】
側面部１０は、略長方形状の板状を呈しており、その高さは、被収納物の高さよりも低く形成されている。
【００２３】
また、側面部２０は、側面部１０の一方の端部から折れ線を介して連設され、全体に長方形状の中央上端から凸状に突出した形状を呈している。この側面部２０は、本体部２２と、分離部２４とを有し、本体部２２は、長方形状の中央上端に凹部が形成された凹状に形成されている。また、分離部２４は、上端が略半円形に形成されるとともに下端が円弧状に形成され、左右の辺部は直線状に形成された帯状を呈し、本体部２２の凹部の領域と本体部２２の上端よりも上方の領域に形成されている。つまり、分離部２４は、略凹状を呈する本体部２２の凹部内に形成され、かつ、本体部２２の上端から突出して形成されている。本体部２２と分離部２４の境界においては、その両側にはミシン目２６が形成され、下端には切込み２８が形成されている。つまり、本体部２２と分離部２４の境界は、ミシン目２６と切込み２８とで構成されている。
【００２４】
なお、分離部２４と本体部２２との境界をなすミシン目２６と切込み２８は、上記切目線となる。
【００２５】
また、側面部３０は、側面部２０の側面部１０側とは反対側の端部から折れ線を介して連設されている。より具体的には、側面部２０の側面部１０側とは反対側の端部から折れ線を介して連設された糊代部２９に側面部３０が連設されている。この側面部３０は、側面部１０と同一の構成であり、略長方形状の板状を呈している。
【００２６】
また、側面部４０は、側面部２０と同一の構成であり、凹状を呈し本体部２２と同一の構成の本体部４２と、分離部２４と同一の構成の分離部４４とを有し、本体部４２と分離部４４の境界は、ミシン目４６と切込み４８とで構成されている。
【００２７】
なお、分離部４４と本体部４２との境界をなすミシン目４６と切込み４８は、上記切目線となる。
【００２８】
また、側面部４０の側面部３０が連設されている側とは反対側の端部には、折れ線を介して側面部１０が連設されている。なお、側面部１０と側面部４０の境界位置における上側には略逆Ｔ字状の切込みＫ１が形成されている。
【００２９】
また、底面部５０は、本体部５２と、接続片５４と、副体部５６と、接続片５８とを有している。本体部５２は、側面部１０の下端から折れ線を介して連設され、底面本体部５２ａと、立設片部５２ｂとを有し、底面本体部５２ａは、側面部１０の下端から折れ線を介して連設され、略長方形状に形成され、この底面本体部５２ａの上面が包装箱Ａの内底面を形成している。つまり、底面本体部５２ａは、内箱部Ａ１の内底面の全ての領域を形成している。立設片部５２ｂは、全体に帯状を呈し、底面本体部５２ａの先端から折れ線を介して上方に立設している。つまり、包装箱Ａを組み立てた状態では、立設片部５２ｂは底面本体部５２ａに対して略直角となり、上方に立設している。また、この底面部５０の角部（側面部１０と側面部２０の境界位置の角部）からは底面本体部５２ａの側面部１０との境界をなす辺部に対して斜めに折れ線５２−１が形成され、内箱部Ａ１を折り畳む際に、容易に折り畳むことができるようになっている。
【００３０】
また、側面部２０の下端からは、折れ線を介して接続片５４が連設され、この接続片５４は略台形形状を呈し、この接続片５４の角部（側面部１０と側面部２０の境界位置の角部）からは接続片５４の側面部２０との境界をなす辺部に対して斜めに折れ線５４−１が形成され、この折れ線５４−１よりも先端側の先端片５４ａが底面本体部５２ａに接着されていて、底面部５０を折り畳むことができるようになっている。
【００３１】
また、側面部３０の下端からは折れ線を介して副体部５６が連設され、この副体部５６は、略長方形状に形成され、その両側の端部に切欠が形成された形状を呈している。この副体部５６の幅（Ｙ１−Ｙ２方向の幅）は、底面本体部５２ａの幅よりも小さく形成されている。
【００３２】
また、側面部４０の下端からは、折れ線を介して接続片５８が連設され、この接続片５８は、接続片５４と略同一の構成となっている。つまり、接続片５８は、略台形形状を呈し、接続片５８の角部（側面部３０と側面部４０の境界位置の角部）からは斜めに折れ線５８−１が形成され、この折れ線５８−１よりも先端側の先端片５８ａが副体部５６に接着されていて、底面部５０を折り畳むことができるようになっている。
【００３３】
内箱部Ａ１を箱状に組み立てた状態では、側面部１０と側面部３０とが互いに平行になり、側面部２０と側面部４０とが互いに平行になり、底面部５０の本体部５２は、側面部１０〜４０に対して直角となる。また、内箱部Ａ１は、平板状に折り畳むことができ、本体部５２を上方に回動させて本体部５２が側面部１０に対して略平行になるようにすることにより、側面部１０と側面部２０とが互いに略平行になるとともに、側面部３０と側面部４０とが互いに略平行になって、図８に示すように、内箱部Ａ１が全体に平板状に折り畳むことができる。つまり、４つの側面部１０〜４０が略平板状になるように折り畳むことにより、本体部５２と副体部５６とが４つの側面部１０〜４０内に４つの側面部１０〜４０と略平行な状態となり、内箱部Ａ１を全体に略平板状に折り畳むことができる。
【００３４】
次に、外箱部Ａ２は、図１、図２、図５等に示すように、側面部６０と、側面部７０と、側面部８０と、側面部９０と、蓋部１００と、把手部１１０と、蓋部１２０と、把手部１３０と、係止部１４０と、係止部１５０とを有している。
【００３５】
ここで、側面部６０は、略長方形状の板状を呈し、その横方向の長さは、内箱部Ａ１を外箱部Ａ２内に収納することができるように、側面部１０の横方向の長さよりも若干大きく形成されている。
【００３６】
また、側面部７０は、側面部６０の横方向の端部から折れ線を介して連設され、略方形状を呈している。この側面部７０の下端から上方に向けて縦方向にミシン目（切目線）７２が形成されている。つまり、ミシン目７２は、側面部７０の縦方向の辺部に略平行に形成されている。このミシン目７２の形成位置は、ミシン目７２と縦方向の辺部との間隔Ｒ１が、分離部２４と本体部２２の縦方向の辺部との間隔Ｒ２以下となるようになっている。また、ミシン目７２の長さは、ミシン目７２の上端が分離部２４の上端よりも上側になるように形成されている。
【００３７】
なお、側面部６０と側面部７０の境界位置における下側には略Ｔ字状の切込みＫ２が形成され、また、切込みＫ２よりも上側には、折れ線に沿ってミシン目Ｋ３が形成されている。
【００３８】
また、側面部８０は、側面部７０の側面部６０側とは反対側の端部から折れ線を介して連設されている。より具体的には、側面部８０の端部には糊代部８９が折れ線を介して連設されていて、この糊代部８９に側面部７０の端部が接着されている。この側面部８０は、側面部６０と略同一の構成であり、略長方形状の板状を呈している。なお、側面部８０と糊代部８９の間には、互いに平行に２本のミシン目Ｋ４が形成されている。
【００３９】
また、側面部９０は、側面部８０の側面部７０が連設されている側とは反対側の端部から折れ線を介して連設され、側面部７０と略同一の構成であるが、側面部７０と対称の構成となっている。つまり、側面部９０は、略方形状を呈しており、側面部７０の下端から上方に向けて縦方向にミシン目（切目線）９２が形成されている。ミシン目９２は、側面部９０の縦方向の辺部に略平行に形成されていて、ミシン目９２の形成位置は、ミシン目９２と縦方向の辺部との間隔Ｒ３が、分離部４４と本体部４２の縦方向の辺部との間隔Ｒ４以下となるようになっている。また、ミシン目９２の長さは、ミシン目９２の上端が分離部４４の上端よりも上側になるように形成されている。なお、側面部９０と側面部８０の境界位置には、略Ｉ字状の切込みＫ５が形成されている。
【００４０】
なお、側面部９０の側面部８０が連設されている側とは反対側の端部には、折れ線（２本の平行な折れ線）を介して側面部６０が連設されている。なお、２本の平行な折れ線に沿って２本の平行なミシン目Ｋ６が形成されていて、側面部６０と側面部９０の間の位置における下側には、縦長の切欠部Ｋ７が形成されている。
【００４１】
また、蓋部１００は、側面部６０の上端から折れ線を介して連設され、長方形状を呈している。つまり、その長手方向の長さは側面部６０の長手方向の長さと略同一であり、その短手方向の長さは、側面部７０、９０の横方向の長さの略半分の長さとなっている。
【００４２】
また、把手部１１０は、蓋部１００の先端から折れ線を介して連設され、略台形形状（両側に傾斜辺が形成された台形形状）を呈する把手本体部１１２と、把手本体部１１２の傾斜辺から突出して形成された突出片部１１４とを有している。この把手本体部１１２には略長方形状の開口部１１２ａが形成されている。また、突出片部１１４は、係止部１４０、１５０が係止可能な形状に形成されている。
【００４３】
また、蓋部１２０は、側面部８０の上端から折れ線を介して連設され、蓋部１００と同一の構成となっている。
【００４４】
また、把手部１３０は、蓋部１２０の先端から折れ線を介して連設され、略台形形状（両側に傾斜辺が形成された台形形状）を呈する把手本体部１３２と、把手本体部１３２の傾斜辺から突出して形成された突出片部１３４とを有している。この把手本体部１３２には直線状の折れ線１３２ａと切込み１３２ｂとが形成され、この折れ線１３２ａと切込み１３２ｂとで開口部１１２ａの外形と同様の形状を呈している。つまり、開口部１１２ａの外形における上側の直線状部分以外の部分が切込み１３２ｂとなる。これにより、折れ線１３２ａと切込み１３２ｂにより囲まれた領域が開口部１１２ａに係止される片部１３６となる。また、突出片部１３４は、係止部１４０、１５０が係止可能な形状に形成されている。
【００４５】
また、係止部１４０は、側面部７０の上端から折れ線を介して連設され、互いに平行な両側の辺部の間隔は側面部７０の横方向の幅と略同一に形成され、係止部１４０の先端は円弧状に形成されている。この係止部１４０には、両側の辺部と平行に折れ線Ｋ１１と切込みＫ１２が形成され、この折れ線Ｋ１１の両側からは円弧状に切込みＫ１３、Ｋ１４が形成され、切込みＫ１３、Ｋ１４の他方の端部間には折れ線Ｋ１５が形成されている。これにより、切込みＫ１２の位置に突出片部１１４と突出片部１３４を重ねた状態で差し込むと、切込みＫ１２、Ｋ１３、Ｋ１４と折れ線Ｋ１５とで囲まれた片部１４２が持ち上げられて、これにより形成された開口部に突出片部１１４、１３４が係止するように形成されている。
【００４６】
また、係止部１５０は、側面部９０の上端から折れ線を介して連設され、係止部１４０と同様の構成であるが対称に形成されていて、折れ線Ｋ２１と、切込みＫ２２、Ｋ２３、Ｋ２４と、折れ線Ｋ２５が設けられている。この係止部１５０に形成された切込みＫ２２、Ｋ２３、Ｋ２４と折れ線Ｋ２５とにより片部１５２が形成され、切込みＫ２２の位置に突出片部１１４と突出片部１３４を重ねた状態で差し込むと、片部１５２が持ち上げられて、これにより形成された開口部に突出片部１１４、１３４が係止するように形成されている。
【００４７】
なお、側面部６０、７０、８０、９０の高さ方向の長さは、内箱部Ａ１を収納できるように、内箱部Ａ１の高さ方向の長さよりも高く形成されている。なお、側面部６０、７０、８０、９０の高さ方向の長さ（側面部２０、４０においては、本体部２２、４２の高さ方向の長さ）は、側面部１０、３０の高さ方向の長さの２倍以上とするのが好ましい。
【００４８】
外箱部Ａ２を箱状に組み立てた状態では、側面部６０と側面部８０とが互いに平行になり、側面部７０と側面部９０とが互いに平行になる。
【００４９】
次に、内箱部Ａ１と外箱部Ａ２とは、分離部２４、４４の箇所で互いに接着されている。つまり、分離部２４の外側の面と側面部７０の内側の面とが接着剤その他の接着手段により接着されるとともに、分離部４４の外側の面と側面部９０の内側の面とが接着剤その他の接着手段により接着されることにより、包装箱Ａが全体に一体に形成される。つまり、図３に示すように、分離部４４の外側の面の全部又は一部の領域と側面部９０の内側の面の間には接着剤層Ｓが設けられている。同様に、分離部２４の外側の面の全部又は一部の領域と側面部７０の内側の面の間には接着剤層が設けられている。これにより、外箱部Ａ２の側面部６０〜９０は、内箱部Ａ１における対応する側面部の外側の面に沿って設けられる。該接着剤層の接着力は、外箱部Ａ２の側面部７０、９０のミシン目を破って側面部７０、９０の下端を外側に回動させた際に、同時に分離部２４の両側のミシン目２６や分離部４４のミシン目４６が破れて、分離部２４、４４が内箱部Ａ１から分離し、回動させた側面部７０、９０に接着した状態で側面部７０、９０に従動するように設定されている。
【００５０】
また、内箱部Ａ１と外箱部Ａ２とが接着された状態では、内箱部Ａ１の下端と外箱部Ａ２の下端とが同じ高さになるように形成されている。なお、なお、内箱部Ａ１と外箱部Ａ２とは、分離部２４、４４の箇所以外は互いに接着されていない。
【００５１】
以上のように、内箱部Ａ１は外箱部Ａ２の内側に収納した状態となっていて、内箱部Ａ１の底面部５０以外は外箱部Ａ２に被覆された状態となっている。
【００５２】
なお、上記構成の包装箱Ａは、内箱部Ａ１が上記のように折り畳むことができ、また、外箱部Ａ２が、係止部１４０、１５０を把手部１１０、１３０に係止しない状態では、全体に略スリーブ状を呈しているので、包装箱Ａの状態においても平板状に折り畳むことができ、側面部６０を側面部７０に対して略平行になるようにし、かつ、側面部８０を側面部９０に対して略平行になるようにすることにより、図７に示すように平板状に折り畳むことができる。
【００５３】
上記構成の包装箱Ａの使用状態について説明する。包装箱Ａを使用しない状況では、上記のように包装箱Ａは平板状に折り畳むことができるので、折り畳んで保管しておく。
【００５４】
そして、包装箱Ａを使用する際に、包装箱Ａを組み立てる。すなわち、外箱部Ａ２における側面部６０と側面部８０とが互いに平行になり、側面部７０と側面部９０とが互いに平行になるようにするとともに、内箱部Ａ１における側面部１０と側面部３０とが互いに平行になり、側面部２０と側面部４０とが互いに平行になるようにし、底面部５０の本体部５２が該各側面部に直角になるようにすることにより包装箱Ａが立体状に組み立てられる。
【００５５】
そして、図９に示すように、外箱部Ａ２の蓋部１００、１２０や係止部１４０、１５０を開状態として、包装箱Ａの上方から被収納物１６０を収納する。図９は、被収納物がドーナツである例を示しているが、他の被収納物（例えば、ケーキ）であってもよい。
【００５６】
被収納物を収納したら、包装箱Ａを閉状態とする。すなわち、蓋部１００、１２０を閉じて把手部１１０と把手部１３０とが重なった状態とし、その後、係止部１４０、１５０を把手部１１０、１３０に係止させて包装箱Ａを閉状態とする。
【００５７】
以上のようにして、被収納物を包装箱Ａに包装したら、把手部１１０、１３０を手にもって持ち運ぶことができる。
【００５８】
例えば、店舗においては、包装箱Ａを折り畳んだ状態で予め保管しておき、被収納物としての商品を収納する際に包装箱Ａを組み立てて、商品を収納し、包装箱Ａを閉状態として顧客に渡す。
【００５９】
その後、被収納物を取り出す場合には、外箱部Ａ２を内箱部Ａ１から分離する。すなわち、まず、図１０に示すように、外箱部Ａ２の側面部７０、９０におけるミシン目７２、９２を破って側面部７０、９０の下端（つまり、側面部７０、９０におけるミシン目７２、９２を介した幅の大きい方の下端であり、側面部７０では、ミシン目７２よりも右側の部分であり、側面部９０では、ミシン目９２よりも左側の部分）を斜めに引き上げて外側に回動させる。
【００６０】
すると、分離部２４の両側のミシン目２６や分離部４４のミシン目４６が破れて、分離部２４、４４が内箱部Ａ１から分離し、回動させた側面部７０、９０に接着した状態で側面部７０、９０に従動する。つまり、内箱部Ａ１の分離部２４、４４が内箱部Ａ１から分離して、外箱部Ａ２に接着した状態が維持され、これにより、内箱部Ａ１と外箱部Ａ２とが分離する。
【００６１】
その後、図１１に示すように、外箱部Ａ２を上方に引き上げることにより、被収納物を収納した状態の内箱部Ａ１が残るので、内箱部Ａ１から被収納物を取り出せばよい。なお、内箱部Ａ１には切込みＫ１が設けられ、外箱部Ａ２には切込みＫ２、Ｋ５、Ｋ６や切欠部Ｋ７が設けられているので、外箱部Ａ２を容易に引き上げることができる。
【００６２】
この内箱部Ａ１には外箱部Ａ２と比べて蓋部や係止部が設けられていないので、被収納物を取り出す際にそれらに接するおそれがなく、また、内箱部Ａ１の側面部１０〜４０は、外箱部Ａ２の側面部６０〜９０よりも低く形成されているので、被収納物を取り出す際に被収納物が内箱部Ａ１の上端に接するおそれが小さく、よって、被収納物を内箱部Ａ１から容易に取り出すことができ、特に、ケーキやドーナツ等の形が崩れやすい被収納物を収納や取り出しに際して被収納物を傷つけるおそれがない。
【００６３】
また、内箱部Ａ１の相対する両側に分離部２４、４４が設けられ、該分離部２４、４４が外箱部Ａ２に接着した構成となっていて、外箱部Ａ２を分離する際には、外箱部Ａ２の両側の側面部７０、９０を引き上げて両側の分離部２４、４４を分離させて、外箱部Ａ２を上方に引き上げるので、外箱部Ａ２を内箱部Ａ１から分離させる際にも外箱部Ａ２が被収納物に接するおそれがなく、被収納物を傷つけるおそれがない。また、外箱部Ａ２の側面部６０〜９０は、内箱部Ａ１の側面部１０〜４０よりも外側にあるので、外箱部Ａ２を引き上げて内箱部Ａ１から分離させる際に外箱部Ａ２が被収納物に接触するおそれがない。
【００６４】
また、内箱部Ａ１をそのままトレーとして用いることができるので、別途皿などを用意する必要がない。
【００６５】
また、外箱部Ａ２が４つの側面部６０〜９０と蓋部１００、１２０と、把手部１１０、１３０と、係止部１４０、１５０とを有していて、その外観が従来のケーキ用の箱の形状と近似しており、また、内箱部Ａ１が外箱部Ａ２の内側に収納されているので、包装箱Ａ全体としてもその外観が従来のケーキ用の箱の外観と近似していて著しい差異がなく、ケーキやドーナツを収納する箱として違和感がなく好適である。特に、内箱部Ａ１は底面部５０のみが露出しているので、包装箱をテーブル等に載置した状態では、ケーキやドーナツを収納する通常の包装箱と同様の外観を呈することができ、ケーキやドーナツ用の箱として違和感を感じさせないようにすることができる。
【００６６】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ける。
【図面の簡単な説明】
【００６７】
【図１】本考案の実施例に基づく包装箱の上方斜視図である。
【図２】本考案の実施例に基づく包装箱の分解斜視図である。
【図３】図１のＰ−Ｐ線における要部断面図である。
【図４】本考案の実施例に基づく包装箱の底面図である。
【図５】外箱部の展開図である。
【図６】内箱部の展開図である。
【図７】包装箱を折り畳んだ状態を示す斜視図である。
【図８】包装箱を折り畳んだ際の内箱部の折り畳み状態を示す斜視図である。
【図９】包装箱の使用状態を示す斜視図である。
【図１０】包装箱の使用状態を示す斜視図である。
【図１１】包装箱の使用状態を示す斜視図である。
【図１２】従来における包装箱の形状の例を示す斜視図である。
【符号の説明】
【００６８】
Ａ  包装箱
Ａ１  内箱部
Ａ２  外箱部
１０、２０、３０、４０、６０、７０、８０、９０  側面部
２２、４２  本体部
２４、４４  分離部
２６、４６、７２、９２  ミシン目
２８、４８  切込み
５０  底面部
５２  本体部
５２ａ  底面本体部
５２ｂ  立設片部
５４、５８  接続片
５６  副体部
１００、１２０  蓋部
１１０、１３０  把手部
１４０、１５０  係止部
【図１】
0003138514.tif 000003
【図２】
0003138514.tif 000004
【図３】
0003138514.tif 000005
【図４】
0003138514.tif 000006
【図５】
0003138514.tif 000007
【図６】
0003138514.tif 000008
【図７】
0003138514.tif 000009
【図８】
0003138514.tif 000010
【図９】
0003138514.tif 000011
【図１０】
0003138514.tif 000012
【図１１】
0003138514.tif 000013
【図１２】
0003138514.tif 000014